(57)【特許請求の範囲】
【請求項１】
外部から透視することのできる円筒状のシェード（１）の内部の一端側に、円弧状の軌道を描いて発光ダイオード（８）が複数箇所に配置され、且つ前記シェード（１）の外側面の円周方向には、細い傷模様によって多数のヘアラインが形成され、外部から前記シェード（１）の内部を透視したときに、前記発光ダイオード（８）から放出される光が、前記シェード（１）に形成されたヘアラインによって該シェード（１）内で細く収束するような形態を描いて見えるように構成されていることを特徴とする装飾用照明装置。
【請求項２】
シェード（１）の上下に開口部（２）、（３）が形成され、上部の開口部（２）は最上部に位置して解放状態とされ、下部の開口部（３）は前記シェード（１）を保持するシェード保持ボディ（４）の内部に挿入されている請求項１記載の装飾用照明装置。
【発明の詳細な説明】
【０００１】
【発明の属する利用分野】
本発明は、装飾用照明装置、さらに詳しくは、室内等で蛍光灯や白熱灯等の一般の照明器具の光源を消灯させた状態で点灯させることにより、装飾用として使用者に興趣をもたらすことができる装飾用照明装置に関するものである。
【０００２】
【従来の技術及び発明が解決しようとする課題】
従来より、照明器具としては、ランプ、スタンド等の種々のものが使用されている。
【０００３】
光源としては蛍光灯や白熱灯が主として用いられているが、いずれにしてもこのような照明器具は、本来夜間において室内を明るくするために用いられるものである。
【０００４】
これに対して、たとえばレストラン、喫茶店、スナック等の飲食店等において、室内の雰囲気を醸しだすために、暗い光源や着色された光源を有する照明器具、或いはステンドグラス調のカバーを具備した照明器具等により、室内を意図的に暗くするようなことも行われている。
【０００５】
このような装飾用の照明器具は、夜間時に室内を視認可能な状態にするという一般の照明器具本来の機能を奏するものではなく、一般の照明器具は消灯した状態で装飾用の照明器具のみを点灯させて室内を逆に暗くすることで上記のように雰囲気を醸しだすようにしたものである。
【０００６】
しかし、この種の装飾用の照明器具であっても、せいぜい光源を着色する等の手段を施す程度のものであり、使用者に興趣をもたらすにしても限界がある。
【０００７】
一方、舞台等の照明装置であれば、光源からの光の放出部分を複数設け、その部分を回転させながら異なる色の光を放出するような照明装置も用いられているが、このような照明装置は用途が全く異なるものであり、上記のような室内の装飾用としては適さないものである。
【０００８】
本発明は、以上のような点に鑑みてなされたもので、レストラン、喫茶店、スナック等の飲食店等において、室内の雰囲気を醸しだすために従来用いられていたような暗い光源や着色された光源を有する照明器具では現出できないような光を放出することができ、それによって、使用者に斬新な興趣をもたらすことのできる全く新規な装飾用照明装置を提供することを課題とするものである。
【０００９】
【課題を解決するための手段】
本発明は、このような課題を解決するためになされたもので、その課題を解決するための手段は、外部から透視することのできる円筒状のシェード１の内部の一端側に、円弧状の軌道を描いて発光ダイオード８が複数箇所に配置され、且つ前記シェード１には前記発光ダイオード８からの光の進行方向と交差する方向に、細い傷模様によって多数のヘアラインが形成されていることである。
【００１０】
光源としては、指向性のある光を放出することのできる発光ダイオードが用いられる。発光ダイオードを用いることにより、外部からシェード１の内部を透視したときに、光源部から放出される光が、上記シェード１に形成されたヘアラインによって該シェード１内で細く収束するような形態を描いて見える。特に発光ダイオードは、赤、青、黄、緑等の有色の光を放出させるので、装飾効果も非常に良好となる。
【００１１】
また、発光ダイオードは、シェード１の内部の一端側に円弧状の軌道を描いて複数箇所（たとえば８箇所）に配置した場合には、該シェード１内で細く収束するような形態を描いて見える効果がより良好となる。
【００１２】
シェード１の形状は円筒状である。円筒状に形成されることで、上記のようにシェード１内で細く収束するような形態を描いて見える効果がより良好となる。
【００１３】
【発明の実施の形態】
以下、本発明の実施形態について説明する。
【００１４】
（実施形態１）
図１及び図２において、１は、装飾用照明装置のボディを構成する略円筒状（パイプ状）のシェードで、全体が透明なアクリル樹脂で構成されている。そして、このシェード１の軸方向と交差する方向、すなわちシェード１の外側面の円周方向には、細い傷模様によって多数のヘアライン（図示せず）が形成されている。このようなヘアラインが形成されている結果、シェード１は半透明な状態に現出されている。
【００１５】
このシェード１の上下には、開口部２，３が形成されており、上部の開口部２は装置の最上部に位置して開放状態とされ、下部の開口部３側は、前記シェード１を保持するシェード保持ボディ４の内部に挿入されている。
【００１６】
シェード保持ボディ４の内側には、該シェード保持ボディ４の約半分の高さの台座５が内装されており、その台座５の上端に前記シェード１の下端が当接されている。つまり、台座５の外径は、シェード１の外径と略同径に形成されているので、前記シェード１が前記台座５に当接して支持されるのである。
【００１７】
シェード保持ボディ４の外径は当然のことながらシェード１と台座５の外径より大きいが、その内径はシェード１と台座５の外径と略同径に形成されており、その結果、シェード１と台座５の外側面は、前記シェード保持ボディ４の内側面に接触してシェード１がシェード保持ボディ４に確実に保持されるのである。
【００１８】
６は、集積回路や発光ダイオードを具備する基板であり、図３に示すように、その基板６の略中央に、集積回路を具備する整流回路素子７が装着されている。
また、基板６の周縁部近辺の内側には、略等角間隔の８箇所に発光ダイオード８，…が装着されている。
【００１９】
この発光ダイオード８，…が光源となるもので、本実施形態では、ＧａＮからなる青色発光ダイオードが用いられている。
【００２０】
９は電気的抵抗部分となる抵抗体で、前記基板６上における集積回路体７と発光ダイオード８との間の略中間部分（図３の右側）に装着されている。
10はヒューズであり、基板６上における集積回路体７と発光ダイオード８との間の略中間部分（図３の左側）に装着されている。
【００２１】
この基板６は、支工パイプ11を介して基板取付台12に取り付けられている。
基板取付台12は、ビス13によって前記シェード保持ボディ４の底部4aに取り付けられている。
そしてシェード保持ボディ４の底部4aの裏面側には、装飾用照明器具を載置した部分が傷つくのを防止するフェルト14が取り付けられている。
【００２２】
15はシェード保持ボディ４の側壁部に取り付けられたコードストッパーで、コード16は、前記コードストッパー15に保持されてシェード保持ボディ４の内部から外部に延出されている。17は前記コード上に設けられた中間スイッチである。
【００２３】
上記のような構成からなる装飾用照明器具は、中間スイッチ17のＯＮ−ＯＦＦによって操作される。
【００２４】
中間スイッチ１７をＯＮの状態にすると電源が入力状態となり、光源である発光ダイオード８が点灯する。この場合において、発光ダイオード８から放出される光は指向性があり、しかもシェード１の外側面の円周方向に多数のヘアラインが形成されているので、外部から見た状態においては、基板６の８箇所に配置された発光ダイオード８から放出される光２６は、図４の２点鎖線で示すように、基板６が設けられた装置の下部から上部に向かって収束するような形態を描いて見える。
【００２５】
しかも、発光ダイオード８から放出される光は青色であるので、蛍光灯や白熱灯等の照明器具を消灯させた状態で上記装飾用照明器具を点灯させると、暗い室内の中で、発光ダイオード８から放出されて下部から上部に向かって収束しながら進行する青色の光26が明確な軌道を描いて鮮明に見えることとなり、独特な装飾的効果が現出されることとなる。
【００２６】
（実施形態２）
本実施形態では、図５に示すように、シェード１の上部開口部２側に、絵模様、図柄等を現出させるための装飾盤18が取り付けられている。この装飾盤18は、透明なアクリル樹脂製のものに絵模様、図柄が描かれており、発光ダイオード８から放出される光がこの装飾盤18を透過することで、透過した光によって絵模様、図柄等が天井等に写し出されることとなる。或いはスクリーン等を天井部に設けてそのスクリーンに写し出すことも可能である。
【００２７】
従って、本実施形態では、上記実施形態１と同様に、発光ダイオード８から放出されて下部から上部に向かって収束しながら進行する青色の光による装飾的効果が現出される他、その光が上記装飾盤18を透過することで天井等に写し出された絵模様、図柄等による装飾的効果も得られることとなる。
【００２８】
シェード１の形状、材質、ヘアラインの形成態様、シェード保持ボディ４の内部の構造等は上記実施形態１と同じであり、その説明は省略する。
【００２９】
（実施形態３）
本実施形態では、図６に示すように、シェード１の上部に傘体18が設けられている。この傘体18は、シェード１の中心軸に沿って設けられた軸体19の上端部に取り付けられている。また、該傘体18は、透明なアクリル樹脂で構成され、且つその下面側は銀色等に着色されている。
【００３０】
本実施形態では、シェード１の内部においては、上記実施形態と同様に発光ダイオード８から放出されて下部から上部に向かって収束しながら進行する青色の光による装飾的効果が現出されるが、シェード１の上部に進行する発光ダイオード８からの青色の光は、上記傘体18で反射し、その反射によって、シェード１の上部近傍に青色のぼやけた光が散乱した状態になる。
【００３１】
従って、本実施形態では、シェード１内を進行する光は下から上向きに収束した状態となっているので光の形態を明確に認識することができ、また傘体18によって反射された光はぼやけた状態に現出されるので、この両者の光の現出状態によって、独特な雰囲気が醸し出されることとなる。
【００３２】
シェード１の形状、材質、ヘアラインの形成態様、パイプ保持ボディ４の内部の構造等は上記実施形態１と同じであり、その説明は省略する。
【００３３】
（実施形態４）
本実施形態では、図７に示すようにシェード１が横向きに設けられており、その両側に発光ダイオード８を具備する基板６を収納したシェード保持ボディ４が設けられている。
【００３４】
一方のシェード保持ボディ４内の基板６に取り付けられた発光ダイオード８は青色発光ダイオードであり、他方のシェード保持ボディ４内の基板６に取り付けられた発光ダイオード８は赤色発光ダイオードである。
【００３５】
そして、シェード部１は、基台21上に立設された支持杆20に取り付けられている。
【００３６】
シェード１の形状、材質、ヘアラインの形成態様、シェード保持ボディ４の内部の構造等は上記実施形態１と同じであり、その説明は省略する。
【００３７】
本実施形態においては、シェード１の一方のシェード保持ボディ４に具備された発光ダイオード８からは青色の光が放出され、他方のシェード保持ボディ４に具備された発光ダイオード８からは赤色の光が放出されることとなる。
【００３８】
その結果、両方の光が混合されるシェード１の略中央部分においては、紫色の光が現出されることとなる。
【００３９】
（実施形態５）
本実施形態では、図８に示すように、基板６上に計16個の発光ダイオード８が設けられている。これら16個の発光ダイオード８のうち、８個が青色発光ダイオードであり、他の８個は赤色発光ダイオードである。そして、これら青色発光ダイオードと赤色発光ダイオードとは、基板６の周縁部近辺の内側で略円周の軌道を描くように交互に配置されている。また計16個の発光ダイオード８は、略等角間隔に配置されている。本実施形態の赤色発光ダイオードは、ＧａＰで構成されている。
【００４０】
シェード１の形状、材質、ヘアラインの形成態様、シェード保持ボディ４の内部の構造等は上記実施形態１と同じであり、その説明は省略する。
【００４１】
本実施形態においては、基板６に具備された集積回路による電気信号のタイミングを予め設定することによって、青色発光ダイオードと赤色発光ダイオードとが交互に点灯するように構成されている。
【００４２】
従って、ある電気信号のタイミングでは、青色発光ダイオードのみが点灯するとともに赤色発光ダイオードが消灯して青色の光のみが放出され、他の電気信号のタイミングでは、赤色発光ダイオードのみが点灯するとともに青色発光ダイオードが消灯して赤色の光のみが放出されることとなり、１箇所の光源部分から２色の色の光を交互に放出させることができるのである。
【００４３】
（実施形態６）
本実施形態では、図９に示すように、シェード１が左右に２個並設された２筒式のスタンド型の装飾用照明器具である。
【００４４】
本実施形態では、基台22上に立設された支柱23の上部に基部24が設けられ、該基部24の両側に１対の略Ｌ字状の支持杆25が形成され、該支持杆25にそれぞれシェード１が取り付けられている。
【００４５】
シェード１の形状、材質、ヘアラインの形成態様、シェード保持ボディ４の内部の構造等は上記実施形態１と同じであり、その説明は省略する。
【００４６】
本実施形態においては、左右１対のシェード１において、それぞれ下部から上部に向かって収束しながら進行する光が鮮明に見えるため、インテリア製品として優れた装飾効果が得られることとなる。
【００４８】
（その他の実施形態）
尚、上記該実施形態では、シェード１が、両端に開口部２，３を有する筒状に形成されていたが、筒状に形成される必要は必ずしもなく、一端側が開口され、他端側が閉塞されたような形状のシェード１を用いることも可能である。いずれにしても、シェード１の形状は問うものではない。
【００４９】
さらに、該実施形態では、シェード１をアクリル樹脂で構成したが、シェード１の材質も該実施形態のアクリル樹脂に限定されるものではなく、たとえばガラスで構成することも可能である。
また、シェード１は透明であるか半透明であるかを問わず、要はシェード１内を進行する光が外部から透視可能であるように構成されていればよい。
【００５０】
さらに、上記実施形態１乃至３では発光ダイオード８として青色発光ダイオードを用い、実施形態４、５では赤色発光ダイオードを用いたが、発光ダイオード８の色は該実施形態に限定されるものではなく、たとえばオレンジ色、黄色、緑色等の光を放出する発光ダイオードを用いることも可能であり、光の色の種類は問うものではない。
【００５１】
さらに上記実施形態では、基板６に配置された計８個の発光ダイオード８が同時に点灯するように構成されていたが、同時に点灯させる必要は必ずしもなく、８個の発光ダイオード８，…を時間差をおいて順に点灯させるようにしてもよい。この場合、配置された８個の発光ダイオード８，…を時計回り又は反時計回りに順に点灯させると、放出される光がシェード１内で回転しているように見え、異なる装飾効果を奏することができる。
【００５２】
さらに、上記実施形態１等では、計８個の発光ダイオード８を基板６に配置したが、配置する発光ダイオード８の個数は上記実施形態１に限定されるものではなく、実施形態４のように16個であってもよく、さらにはこれ以外の個数であってもよい。ただし、上記のように光源から収束して進行するような光を形成するには、８個〜12個程度等角間隔に配置するのが好ましい。
【００５３】
さらに、シェード保持ボディ４の内部の構造も上記実施形態に限定されるものではない。
さらに、上記実施形態６では、左右に２個のシェード１を配置した２筒式の装飾用照明器具として構成したが、３個のシェード１を配置した３筒式の装飾用照明器具とすることも可能である。
【００５４】
さらに、上記実施形態では、装飾用照明器具を室内に設置して使用する場合について説明したが、屋外、たとえば家屋その他の建造物の門柱に設置して使用するような装飾用照明器具として使用することも可能である。
【００５６】
さらに、上記実施形態では、スタンド型の照明器具を用いいたが、ランプ型の照明器具を用いることも可能であり、照明器具の形態も問うものではない。
【００５７】
【発明の効果】
以上のように、本発明は、外部から透視することのできるシェードの内部の少なくとも一端側に、指向性のある光を放出することのできる光源が装着され、且つ前記シェードの外側面の円周方向に、多数のヘアラインを形成したものであるため、そのヘアラインによって光の屈折が生じ、結果として外部からシェードの内部を透視したときに、光源部から放出される光がシェード内で細く収束するような形態を描いて見え、一般の照明器具では得られない装飾効果が得られることとなる。
【００５８】
特に光源として発光ダイオードを使用し、光の指向性が非常に良好であるので、収束するような形態の光をより鮮明且つシャープな状態で現出させることができるという効果がある。
【００５９】
さらに発光ダイオードを使用する場合において、シェードの内部の一端側に円弧状の軌道を描いて複数箇所に配置した場合には、シェード内で細く収束するような形態を描いて見える効果がより良好となる。
【００６０】
上述のような効果が生ずる結果、夜間等において室内で蛍光灯や白熱灯等の一般の光源を消灯させた状態で、上記のような装飾用照明装置を点灯させると、独特な装飾的効果を奏することができる。
従って、レストラン、喫茶店、スナック、クラブ、ディスコ等で装飾用の照明装置として広く使用できるという実益がある。
【図面の簡単な説明】
【図１】一実施形態の装飾用照明器具の正面図。
【図２】同一部断面正面図。
【図３】発光ダイオードを基板上に配置した状態を示す概略正面図。
【図４】光の進行状態を示す概略正面図。
【図５】他の実施形態の装飾用照明器具の正面図。
【図６】他の実施形態の装飾用照明器具の一部断面正面図。
【図７】他の実施形態の装飾用照明器具の正面図。
【図８】他の実施形態の装飾用照明器具における発光ダイオードを基板上に配置した状態を示す概略正面図。
【図９】他の実施形態の装飾用照明器具の正面図。
【符号の説明】
１…シェード        ８…発光ダイオード
【図１】
0004031655.tif 000002
【図２】
0004031655.tif 000003
【図３】
0004031655.tif 000004
【図４】
0004031655.tif 000005
【図５】
0004031655.tif 000006
【図６】
0004031655.tif 000007
【図７】
0004031655.tif 000008
【図８】
0004031655.tif 000009
【図９】
0004031655.tif 000010